(57)【要約】透明又は透光性を有し、縦方向に第一の長さ、横方向に第二の長さを有する略矩形状の前面プレート１１と、前面プレートと間隔Ｌ１を隔てて略平行に配置され、縦方向に第一の長さよりも長い第三の長さ、横方向に第二の長さを有する略矩形状の背面プレート１２と、前面プレート１１及び背面プレート１２のそれぞれに略直交し、前面プレート１１の下辺と背面プレート１２の下辺と連結する底面プレート１３と、を備えたページホルダー１であって、開いた状態の本は、前面プレート１１と背面プレート１２の間に形成された間隔Ｌ１に挟持される。
2017149942.tif 000002
【特許請求の範囲】
【請求項１】
透明又は透光性を有し、一の方向に第一の長さ、及び該一の方向に直交する第二の方向に第二の長さを有する略矩形状の前面プレートと、
前記前面プレートと所定の間隔を隔てて略平行に配置され、前記一の方向に前記第一の長さよりも長い第三の長さ、及び前記第二の方向に前記第二の長さを有する略矩形状の背面プレートと、
前記前面プレート及び前記背面プレートのそれぞれに略直交し、前記前面プレートの前記第二の方向の一辺の少なくとも一部と前記背面プレートの前記第二の方向の一辺の少なくとも一部とを連結するように形成された底面プレートと、
を備えたページホルダーであって、
見開き状態の書籍の両ページに亘る一部は、前記前面プレート及び前記背面プレートの両面全体から押圧されて、前記前面プレートと前記背面プレートの間に挟持される、
ことを特徴とするページホルダー。
【請求項２】
請求項１記載のページホルダーであって、
前記見開き状態の書籍は、
前記前面プレートのほぼ全面及び前記背面プレートのほぼ全面と接した状態であり、前記書籍の両側のページが挟持されている第一の状態と、
前記前面プレートの一部及び前記背面プレートの一部と接した状態であり、前記書籍のいずれかの一方の片側のページが挟持されている第二の状態と、
を有し、
前記前面プレート及び前記背面プレートの一端を中心に、前記第一の状態と前記第二の状態の間を回動自在に構成されている、
ことを特徴とするページホルダー。
【請求項３】
請求項１又は２記載のページホルダーであって、
前記前面プレートと略同一の大きさ及び形状を有する補助プレートをさらに有し、
前記補助プレートは、
プレート面上に、前記プレート面と垂直な方向に突出して前記第二の方向に延設された第一のリブを備え、
プレート側面上に、前記プレート面と平行な方向に突出して前記第二の方向に延設された第二のリブを備え
前記背面プレートは、
前記第二の方向に延設されたスリットを有し、
前記第一のリブ及び前記第二のリブは、ともに前記スリットに嵌合可能に構成されている、
ことを特徴とするページホルダー。
【請求項４】
請求項３記載のページホルダーであって、
前記第一のリブは、前記背面プレートの前記前面プレートと対向する面の方向（以下、Ａ方向）、及び前記背面プレートの前記前面プレートとが対向する面とは反対側の面の方向（以下、Ｂ方向）のいずれの方向からでも前記スリットに嵌合可能に構成され、
前記第一のリブが、前記Ａ方向又は前記Ｂ方向から前記スリットに嵌合された場合には、前記補助プレートは、前記背面プレートに平行に重ねられた状態である、
ことを特徴とするページホルダー。
【請求項５】
請求項３又は４記載のページホルダーであって、
前記第二のリブは、前記背面プレートの前記前面プレートと対向する面とは反対側の面の方向（以下、Ｂ方向）から前記スリットに嵌合可能に構成され、
前記第二のリブが、前記Ｂ方向から前記スリットに嵌合された場合には、前記補助プレートは、前記背面プレートを支持する支持部材として機能する、
ことを特徴とするページホルダー。
【発明の詳細な説明】
【技術分野】
【０００１】
本発明は、書籍の見開きページを保持することができるページホルダーに関し、特に、文庫本などの小型書籍の見開きページの保持に好適に適用できる技術に関する。
【背景技術】
【０００２】
従来から、書籍の見開きページを保持するページホルダーには、種々の形状や構造のものが提案されている。例えば、机上で使うことを想定した書見台や譜面台のようなもの（例えば、特許文献１）や、携行性を重視し、片手で保持可能なもの（例えば、特許文献２）などがある。
【先行技術文献】
【特許文献】
【０００３】
【特許文献１】特開平９−２９９１５５号公報
【特許文献２】登録実用新案第３１３９１２９号公報
【発明の概要】
【発明が解決しようとする課題】
【０００４】
この点、簡単な構成にて机上で使えるとともに携行しても使え、携行する場合にはいかなる姿勢であっても実用に耐えうる、つまり立った状態や寝た状態であっても手や腕が疲れることなく長時間片手にて見開きページを保持可能なページホルダーが望まれていた。【０００５】
本発明は上記の事情を鑑みてなされたものであり、簡単な構成にて、いかなる姿勢であっても手や腕が疲れることなく長時間片手で見開きページを保持可能なページホルダーを提供することを目的とする。
【課題を解決するための手段】
【０００６】
上記目的を達成するため、本発明に係るページホルダーは、その一態様として、透明又は透光性を有し、一の方向に第一の長さ、及び該一の方向に直交する第二の方向に第二の長さを有する略矩形状の前面プレートと、前記前面プレートと所定の間隔を隔てて略平行に配置され、前記一の方向に前記第一の長さよりも長い第三の長さ、及び前記第二の方向に前記第二の長さを有する略矩形状の背面プレートと、前記前面プレート及び前記背面プレートのそれぞれに略直交し、前記前面プレートの前記第二の方向の一辺の少なくとも一部と前記背面プレートの前記第二の方向の一辺の少なくとも一部とを連結するように形成された底面プレートと、を備えたページホルダーであって、見開き状態の書籍の両ページに亘る一部は、前記前面プレート及び前記背面プレートの両面全体から押圧されて、前記前面プレートと前記背面プレートの間に挟持される、ことを特徴とする。
【発明の効果】
【０００７】
本発明によれば、簡単な構成にて、いかなる姿勢であっても手や腕が疲れることなく長時間片手で見開きページを保持可能なページホルダーを提供することができる。
【図面の簡単な説明】
【０００８】
【図１】本発明の実施の形態に係るページホルダーの外観斜視図である。
【図２】本発明の実施の形態に係るページホルダーの本体の使用形態を説明する図である。
【図３】本発明の実施の形態に係るページホルダーの本体の書籍への着脱方法を説明する図である。
【図４】本発明の実施の形態に係るページホルダーの補助部材を本体に嵌合させる場合の方法を説明する図である。
【図５】本発明の実施の形態に係るページホルダーの補助部材に形成された上リブ及び下リブの構成を示す側面図である。
【図６】本発明の実施の形態に係るページホルダーの本体に形成されたスリットの高さと、補助部材に形成されたリブの高さの関係を示す図である。
【図７】本発明の実施の形態に係るページホルダーにおいて本体と補助部材を係合した状態における一使用例を示す図である。
【図８】本発明の実施の形態に係るページホルダーにおいて本体と補助部材を係合した状態における一使用例を示す図である。
【図９】本発明の実施の形態に係るページホルダーにおいて本体と補助部材を係合した状態における一使用例を示す図である。
【図１０】本発明の実施の形態に係るページホルダーにおいて本体と補助部材を係合した状態における一使用例を示す図である。
【発明を実施するための形態】
【０００９】
以下、本発明の実施の形態について図面を用いて説明する。
【００１０】
＜ページホルダーの構成＞
図１は、本発明の実施の形態に係るページホルダー１の外観斜視図である。ページホルダー１は、全体として略Ｕ字状を有し、見開きの状態の書籍を保持可能な本体１０と、本体１０に装着可能な板状の補助部材２０と、を備える構成である。ページホルダー１は、本体１０だけで使用することも可能であり、また、本体１０と補助部材２０とが一体となった状態で使用することも可能である。本実施の形態では、ページホルダー１の本体１０だけを使用する状態をページホルダー１における「通常状態」、ページホルダー１の本体１０と補助部材２０とが一体となった状態をページホルダー１における「結合状態」と称する。なお、以下においては、図１に定義した方向を用いて、各構成要素を説明する。
【００１１】
＜通常状態の構成、作用＞
まず、図１〜図３を用いて、ページホルダー１の通常状態の構成及び作用について説明する。
【００１２】
本体１０は、図１に示すように、前面プレート１１と、前面プレート１１と対向した背面プレート１２と、前面プレート１１及び背面プレート１２の下辺を接合させる底面プレート１３と、を有し、前面プレート１１及び背面プレート１２の間において見開きの状態の書籍Ｂを保持可能とするものである。本実施の形態では、前面プレート１１、背面プレート１２及び底面プレート１３は、合成樹脂（プラスチック）で形成されている。
【００１３】
前面プレート１１及び背面プレート１２は、それぞれ、角が丸みを帯びた方形状（以下、略矩形状という）を呈しており、所定の間隔Ｌ１をおいて略平行に配置されている。本実施の形態では、前面プレート１１及び背面プレート１２の左右方向の長さ（幅）は略同一としているが、書籍Ｂを本体１に挟みやすくするため、上下方向の長さ（高さ）は異なるようにしている。すなわち、図１に示すように、背面プレート１２は、前面プレート１１よりも高く形成されている。また、前面プレート１１は、透明又は透光性を有するものとなっている。そのため、本体１に書籍Ｂを挟んだ状態において、書籍Ｂは前方側から視認可能である。
【００１４】
なお、所定の間隔Ｌ１は、見開き状態の書籍Ｂの厚みに基づいて設計されるものであるが、本実施の形態では、文庫本などの小型書籍を好適な対象としているため、約１５ｍｍ程度としている。また、前面プレート１１及び背面プレートの幅は約７０ｍｍ、前面プレート１１の高さは４５ｍｍ、背面プレートの高さは約６０ｍｍとしているが、前面プレート１１及び背面プレートの大きさ、並びに前面プレート１１と背面プレートの間隔は、これに限定されるものではない。
【００１５】
背面プレート１２には、上方中央に左右方向に延設されたスリット１４が形成されている。このスリット１４は、後述する補助部材２０の第一のリブ２２又は第二のリブ２３と嵌合可能となっている。また、スリット１４の左方の下辺には、第一のリブ２２又は第二のリブ２３の幅と略同一の長さを有する突起片１５が設けられており、これにより、補助部材２０は背面プレート１２に密接して固く嵌合されるようになっている。なお、スリット１４に関しては、結合状態において詳しく説明する。
【００１６】
図２は、ページホルダー１の通常状態の使用形態の一例を示す図である。見開き状態の書籍Ｂは、図２に示すように、前面プレート１１及び背面プレート１２に挟持されて固定される。すなわち、前面プレート１１及び背面プレート１２の両面が、見開き状態の書籍Ｂの一部、具体的には、ノド（左右のページを仕切る上下方向の直線部）下方近傍を挟み込むので、見開き状態の書籍Ｂはページが捲れることなく安定した状態となる。より詳しくは、前面プレート１１及び背面プレート１２は、合成樹脂（プラスチック）で形成されており若干の可撓性を有しているため、書籍Ｂの閉じようとする力を前面プレート１１及び背面プレート１２の全面で弾力性をもって受け止めて、書籍Ｂを押圧することにより、見開きページを保持可能とする。また、利用者は、図２に示すように、本体１０の前面プレート１１及び背面プレート１２を手で持って書籍Ｂを読む場合、前面プレート１１は、透明又は透光性を有しているので、前面プレート１１に邪魔されることなく、見開いたページ全体を読むことができる。
【００１７】
このように通常状態においては、利用者は、見開いたページを本体１０に邪魔されることなく読むことができる。また、本体１０を手で把持することにより本を固定できるので、いかなる姿勢（例えば、立位、座位、仰臥位、側臥位など）であっても、手や腕が疲れることがなく長時間読書を楽しむことができる。また、本体１０の大きさも書籍Ｂの大きさに比べて小さくてよいため、携行性に優れている。
【００１８】
図３は、本体１０の書籍Ｂへの着脱方法を示す図である。ページホルダー１の本体１０に書籍Ｂを装着する場合には、図３（ａ）に示すように、まず、略矩形状の本体１０の一角１０Ｓを書籍Ｂに挿入し、その後、図３（ｂ）に示すように、一角１０Ｓを中心に本体１０を回動させて、本体１０全体を書籍Ｂに挿入する（図２参照）。逆に、ページホルダー１の本体１０から書籍Ｂを外す場合には、上記順序と逆の工程を辿ればよく、図２、図３（ｂ）、図３（ａ）という順序で、一角１０Ｓを中心に本体１０を逆方向に回動すればよい。
【００１９】
図３（ａ）に示すように、縦書きの文字の場合には、通常、右から左に文字が流れていくので、本体１０の右上の角部１０Ｓを書籍Ｂの右ページに差し込み、当該角部１０Ｓを中心に本体１０を右回りに回動させていって本体１０を書籍Ｂに装着するのが好適である。ページ捲りを考慮した場合、上記と逆の操作を行うことにより、見開き状態の左ページを本体１０に保持されない自由な状態とすることができるからである。一方、図示しないが、横書きの文字の場合には、通常、左から右に文字が流れていくので、ページ捲りを考慮すると、本体１０の左上の角部１０Ｓを書籍Ｂの左ページに差し込み、当該角部１０Ｓを中心に本体１０を左回りに回動させていって本体１０を書籍Ｂに装着するのが好適である。
【００２０】
このように本実施の形態のページホルダー１の本体１０は、簡単かつ小さな構成にて見開き状態の書籍Ｂを保持可能であるとともに、容易に書籍Ｂに着脱可能であり、また、ページ捲りも容易となっている。
【００２１】
＜結合状態の構成、作用＞
次に、図１及び図４〜図６を用いて、ページホルダー１の結合状態の構成及び作用について説明する。
【００２２】
補助部材２０は、図１に示すように、前面プレート１１及び背面プレート１２と同様に略矩形状を有しており、前面プレート１１と略同一の大きさを有している。本実施の形態では、補助部材２０は、合成樹脂（プラスチック）で形成されている。
【００２３】
補助部材２０は、板状のプレートである補助プレート２１と、補助プレート２１の正面の上方中央に左右方向に延設された第一のリブ２２と、補助プレート２１の下側面の中央に左右方向に延設された第二のリブ２３と、を有している。
【００２４】
第一のリブ２２及び第二のリブ２３（同一の構成をしているので、第一のリブ２２及び第二のリブ２３を総称して単にリブ２４という場合がある）の長手方向（左右方向）の長さは、スリット１４に設けられた突起片１５の左右方向の長さと略同一である。以下、リブ２４の短手方向（上下方向又は前後方向）の長さを「嵌合幅」といい、ｄ１で表記する。また、スリット１４の上下方向の長さ（高さ）を「空隙幅」といい、ｇ１又はｇ２で表記する。
【００２５】
ここで、補助部材２０の本体１０への嵌合方法について説明する。
【００２６】
図４は、補助部材２０の第二のリブ２３を本体１０のスリット１４に嵌合させる場合の着脱方法を示す外観斜視図であり、図５は、補助部材２０の第一のリブ２２及び第二のリブ２３の構成を示す右方向から見た側面図である。また、図６は、本体１０に形成されたスリット１４の間隙幅と、補助部材２０に形成された第一のリブ２２及び第二のリブ２３の嵌合幅の関係を示す図であり、図６（ａ）は、図１のＡ−Ａ線による断面図、図６（ｂ）は、図１のＢ−Ｂ線による断面図である。ここで、図１のＡ−Ａ線は、突起片１５のない位置（以下、第一の位置という）、図１のＢ−Ｂ線は、突起片１５のある位置（以下、第二の位置という）である。
【００２７】
リブ２４は、図５に示すように、凹みが形成されるようなＲ状に曲折して突出しており、その先端は嵌合幅ｄ１となっている。一方、本体１０の背面プレート１２のスリット１４は、図６（ａ）に示すように、突起片１５のない第一の位置においては、間隙幅ｇ１を有しており、突起片１５のある第二の位置においては、間隙幅ｇ２（＜ｇ１）を有している。本実施形態では、スリット１４の間隙幅とリブ２４の嵌合幅の間には、ｇ１＞ｄ１かつｇ２＜ｄ１の関係があり、また、第二の位置の突起片１５は、リブ２４の凹みと嵌合するようにＲ状に突出しているので（図６（ｂ）参照）、図４に示すように、補助部材２０を本体１０に嵌合する場合には、図４（ａ）に示すように、補助部材２０のリブ２４を背面プレート１２に対して第二の位置から挿入し（図６（ａ）参照）、その後、図４（ｂ）に示すように、補助部材２０を背面プレート１２の第一の位置にスライドさせていくことにより、挿入が容易となり、かつ本体１０と補助部材２０をしっかりと密着させて固定することが可能となっている。
【００２８】
＜結合状態のバリエーション＞
次に、図７〜図１０を用いて、結合状態のバリエーションについて説明する。
【００２９】
図７は、補助部材２０の第一のリブ２２を背面プレート１２の内側（前面プレート１１と対向する面の方向）からスリット１４に挿入した場合の結合状態（以下、第１の結合状態という）である。この第１の結合状態では、前面プレート１１と背面プレート１２の離間距離がＬ１より短くなるので、第１の結合状態は、例えば、厚さが薄い書籍Ｂを保持する場合に好適である。このように、本実施形態の結合状態では、補助部材２０を書籍Ｂの厚さの調節に使うことができる。図９（ａ）は、第１の結合状態を右方向から見た側面図である。
【００３０】
なお、補助部材２０の第一のリブ２２を背面プレート１２の外側（前面プレート１１と対向する面と反対側の面の方向）からスリット１４に挿入することも、勿論可能であり、この結合状態を第２の結合状態という。図９（ａ）は、第２の結合状態を右方向から見た側面図である。この第１の結合状態及び第２の結合状態は、コンパクトに一体化された結合状態となっているので、例えば、ページホルダー１を携行する場合に好適な使用形態である。
【００３１】
図８は、補助部材２０の第二のリブ２３を背面プレート１２の外側からスリット１４に挿入した場合の結合状態（以下、第３の結合状態という）である。第３の結合状態では、補助部材２０が本体１０を斜めに立設させる支持部材となるので、第３の結合状態は、例えば、机上において書見台として用いる場合に好適である。図１０（ａ）は、第３の結合状態を右方向から見た側面図である。
【００３２】
なお、第３の結合状態では、底面プレート１３側を地面に接触させて本体１０を支持しているが、本体１０の天地方向を逆転させて本体１０を支持するようにしてもよい。この本体１０の天地方向を逆転させて本体１０を支持する状態を第４の結合状態という。図１０（ｂ）は、第４の結合状態を右方向から見た側面図である。第４の結合状態は、書籍Ｂ自体が地面に接触して本体１０を支持するので、例えば、ハードカバーなど紙質が硬い大型の本（具体的には、料理本や写真集などの写真や図版を中心にした本）を机上において閲覧する場合に好適である。
【００３３】
このように本実施の形態のページホルダー１は、第３の結合状態及び第４の結合状態において、ブックスタンドにもなる。
【００３４】
なお、図９及び図１０では、補助部材２０の嵌合方法の相違を明確にするために、補助部材２０に色を付している。
【００３５】
以上、本実施の形態のページホルダー１によれば、簡単な構成にて机上で使えるとともに携行しても使え、携行する場合にはいかなる姿勢であっても実用に耐えうる、つまり立った状態や寝た状態であっても手や腕が疲れることなく長時間片手にて見開きページを保持することができる。また、本実施の形態のページホルダー１によれば、補助部材２０を用いることにより、簡易なブックスタンドとして利用することもできる。
【００３６】
＜その他の変形例＞
なお、上記実施の形態においては、前面プレート１１を透明又は透光性を有する合成樹脂としたが、これに加えて、背面プレート１２及び底面プレート１３を透明又は透光性を有する合成樹脂としてもよい。つまり、本体１０全体を透明又は透光性を有する合成樹脂としてもよい。また、本体１０全体だけでなく、補助部材２０を透明又は透光性を有する合成樹脂としてもよい。
【００３７】
また、上記実施の形態では、ページホルダー１の大きさを文庫本などの小型書籍を好適な大きさとして説明したが、大型の本を対象とする場合には、適宜ページホルダー１の大きさを変更すればよい。
【００３８】
また、上記実施の形態では、前面プレート１１の左右方向の長さ（横幅）と背面プレート１２の左右方向の長さ（横幅）を同一としたが、これに限定されるものではない。前面プレート１１の横幅と背面プレート１２の横幅を異なるようにしてもよい。また、補助部材２０の補助プレート２１の大きさを略同一の大きさとしたが、これに限定されるものではない。使用目的に応じてその寸法は適宜変更が可能である。
【００３９】
＜実施の形態のまとめ＞
以上に述べた実施の形態に係るページホルダー１によれば、透明又は透光性を有し、一の方向（例えば、図１に示す上下方向）に第一の長さ、及び該一の方向に直交する第二の方向（例えば、図１に示す左右方向）に第二の長さを有する略矩形状の前面プレート１１と、前記前面プレート１１と所定の間隔Ｌ１を隔てて略平行に配置され、前記一の方向に前記第一の長さよりも長い第三の長さ、及び前記第二の方向に前記第二の長さを有する略矩形状の背面プレート１２と、前記前面プレート１１及び前記背面プレート１２のそれぞれに略直交し、前記前面プレート１１の前記第二の方向の一辺の少なくとも一部（例えば、図１の下辺の一部）と前記背面プレート１２の前記第二の方向の一辺の少なくとも一部（例えば、図１の下辺の一部）とを連結するように形成された底面プレート１３と、を備えたページホルダー１であって、見開き状態の書籍Ｂの両ページに亘る一部（図２に示す書籍Ｂの下方中央におけるノド近傍）は、前記前面プレート１１及び前記背面プレート１２の両面全体から押圧されて、前記前面プレートと前記背面プレートの間に挟持される、ことを基本的構成とする。
【００４０】
この基本的構成によれば、前面プレート１１と背面プレート１２の間に見開き状態の書籍Ｂの一部が挟持されて固定されるので、ページホルダー１の前面プレート１１と背面プレート１２を把持すれば、簡単な構成にて、いかなる姿勢であっても手や腕が疲れることなく長時間片手で見開きページを保持することができる。また、前面プレート１１は透明又は透光性を有しているので、前面プレート１１側から書籍Ｂの見開き両ページ全体を視認でき、読書に支障をもたらすことはない。
【００４１】
また、上記基本的構成において、前記見開き状態の書籍Ｂは、前記前面プレート１１のほぼ全面及び前記背面プレート１２のほぼ全面と接した状態であり、前記書籍Ｂの両側のページが挟持されている第一の状態（例えば、図３（ａ）の状態）と、前記前面プレートの一部及び前記背面プレートの一部と接した状態であり、前記書籍のいずれかの一方の片側のページが挟持されている第二の状態（例えば、図２の状態）と、を有し、前記前面プレート及び前記背面プレートの一端を中心に、前記第一の状態と前記第二の状態の間を回動自在に構成されている、ことを第一の好適な構成とする。
【００４２】
この第一の好適な構成によれば、書籍Ｂにページホルダー１を簡単に着脱することができるので、ページ捲りも容易である。
【００４３】
また、上記基本的構成又は第一の好適な構成において、前記前面プレート１１と略同一の大きさ及び形状を有する補助部材２０をさらに有し、前記補助部材２０は、プレート面上に、前記プレート面と垂直な方向に突出して前記第二の方向に延設された第一のリブ２２を備え、プレート側面上に、前記プレート面と平行な方向に突出して前記第二の方向に延設された第二のリブ２３を備え、前記背面プレート１２は、前記第二の方向に延設されたスリット１４を有し、前記第一のリブ２２及び前記第二のリブ２３は、ともに前記スリット１４に嵌合可能に構成されている、ことを第二の好適な構成とする。
【００４４】
この第二の好適な構成によれば、補助部材２をページホルダー１に装着することが可能なので、種々のオプション的な機能を持つことができる。
【００４５】
また、第二の好適な構成において、前記第一のリブ２２は、前記背面プレート１２の前記前面プレート１１と対向する面の方向（以下、Ａ方向）、及び前記背面プレート１２の前記前面プレート１１とが対向する面とは反対側の面の方向（以下、Ｂ方向）のいずれの方向からでも前記スリット１４に嵌合可能に構成され、前記第一のリブ２２が、前記Ａ方向又は前記Ｂ方向から前記スリット１４に嵌合された場合には、前記補助部材２０は、前記背面プレート１４に平行に重ねられた状態である、ことを第三の好適な構成とする。
【００４６】
この第三の好適な構成によれば、補助部材２０を第一のリブ２２を用いてページホルダー１に一体化させる場合には、補助部材２０を厚さの調整に用いることができる。すなわち、厚さの薄い書籍Ｂに好適である。また、補助部材２０を装着しても邪魔にならないので、ページホルダー１を容易に携行することができる。
【００４７】
また、第二の好適な構成又は第三の好適な構成において、前記第二のリブ２３は、前記背面プレート１２の前記前面プレート１１と対向する面とは反対側の面の方向（以下、Ｂ方向）から前記スリット１４に嵌合可能に構成され、前記第二のリブ２３が、前記Ｂ方向から前記スリット１４に嵌合された場合には、前記補助部材２０は、前記背面プレート１２を支持する支持部材として機能する、ことを第四の好適な構成とする。
【００４８】
この第四の好適な構成によれば、補助部材２０を第二のリブ２３を用いてページホルダー１に一体化させる場合には、ページホルダー１は補助部材２０に支持されるので、机上において書見台として用いることができる。すなわち、簡易なブックスタンドとして利用することができる。
【００４９】
以上、本発明の実施の形態について説明してきたが、本発明は、上述した実施の形態に限られるものではなく、本発明の要旨を逸脱しない範囲において、本発明の実施の形態に対して種々の変形や変更を施すことができ、そのような変形や変更を伴うものもまた、本発明の技術的範囲に含まれるものである。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【符号の説明】
【００５０】
１  ページホルダー
１０  本体
１１  前面プレート
１２  背面プレート
１３  底面プレート
１４  スリット
１５  嵌合突起
２０  補助部材
２１  嵌込プレート
２２  第一のリブ
２３  第二のリブ
【図１】
2017149942.tif 000003
【図２】
2017149942.tif 000004
【図３】
2017149942.tif 000005
【図４】
2017149942.tif 000006
【図５】
2017149942.tif 000007
【図６】
2017149942.tif 000008
【図７】
2017149942.tif 000009
【図８】
2017149942.tif 000010
【図９】
2017149942.tif 000011
【図１０】
2017149942.tif 000012
【手続補正書】
【提出日】平成29年8月15日(2017.8.15)
【手続補正１】
【補正対象書類名】特許請求の範囲
【補正対象項目名】全文
【補正方法】変更
【補正の内容】
【特許請求の範囲】
【請求項１】
透明又は透光性を有し、一の方向に第一の長さ、及び該一の方向に直交する第二の方向に第二の長さを有する略矩形状の前面プレートと、
前記前面プレートと所定の間隔を隔てて略平行に配置され、前記一の方向に前記第一の長さよりも長い第三の長さ、及び前記第二の方向に前記第二の長さを有する略矩形状の背面プレートと、
前記前面プレート及び前記背面プレートのそれぞれに略直交し、前記前面プレートの前記第二の方向の一辺の少なくとも一部と前記背面プレートの前記第二の方向の一辺の少なくとも一部とを連結するように形成された底面プレートと、
を備えたページホルダーであって、
見開き状態の書籍の両ページに亘る一部は、前記前面プレート及び前記背面プレートの両面全体から押圧されて、前記前面プレートと前記背面プレートの間に挟持され、
前記前面プレートと略同一の大きさ及び形状を有する補助プレートをさらに有し、
前記補助プレートは、
プレート面上に、前記プレート面と垂直な方向に突出して前記第二の方向に延設された第一のリブを備え、
プレート側面上に、前記プレート面と平行な方向に突出して前記第二の方向に延設された第二のリブを備え、
前記背面プレートは、
前記第二の方向に延設されたスリットを有し、
前記第一のリブ及び前記第二のリブは、ともに前記スリットに嵌合可能に構成されている、
ことを特徴とするページホルダー。
【請求項２】
請求項１記載のページホルダーであって、
前記見開き状態の書籍は、
前記前面プレートのほぼ全面及び前記背面プレートのほぼ全面と接した状態であり、前記書籍の両側のページが挟持されている第一の状態と、
前記前面プレートの一部及び前記背面プレートの一部と接した状態であり、前記書籍のいずれかの一方の片側のページが挟持されている第二の状態と、
を有し、
前記前面プレート及び前記背面プレートの一端を中心に、前記第一の状態と前記第二の状態の間を回動自在に構成されている、
ことを特徴とするページホルダー。
【請求項３】
請求項１又は２記載のページホルダーであって、
前記第一のリブは、前記背面プレートの前記前面プレートと対向する面の方向（以下、Ａ方向）、及び前記背面プレートの前記前面プレートとが対向する面とは反対側の面の方向（以下、Ｂ方向）のいずれの方向からでも前記スリットに嵌合可能に構成され、
前記第一のリブが、前記Ａ方向又は前記Ｂ方向から前記スリットに嵌合された場合には、前記補助プレートは、前記背面プレートに平行に重ねられた状態である、
ことを特徴とするページホルダー。
【請求項４】
請求項１乃至３のいずれか１項に記載のページホルダーであって、
前記第二のリブは、前記背面プレートの前記前面プレートと対向する面とは反対側の面の方向（以下、Ｂ方向）から前記スリットに嵌合可能に構成され、
前記第二のリブが、前記Ｂ方向から前記スリットに嵌合された場合には、前記補助プレートは、前記背面プレートを支持する支持部材として機能する、
ことを特徴とするページホルダー。
【国際調査報告】
2017149942.tif 000013
2017149942.tif 000014